(57)【特許請求の範囲】
【請求項１】
表台紙と裏台紙とが互いに折り部を介して連接し、前記表台紙と前記裏台紙とが前記折り部にて折り畳まれてコンパクトディスクを挟んで収納するコンパクトディスク収納用ケース用紙であって、
前記折り部には、前記コンパクトディスクを前記表台紙と前記裏台紙とに挟んで収納した場合に前記コンパクトディスクの側辺が表出する切欠きが設けられ、
前記表台紙と前記裏台紙の少なくとも一方の対向面には、前記コンパクトディスクが収納される領域を取り囲むように感圧性接着剤が塗布されているコンパクトディスク収納用ケース用紙。
【請求項２】
前記感圧性接着剤は、前記コンパクトディスクが収納される領域を介して前記折り部とは反対側に塗布された部分が封緘用であることを特徴とする請求項１記載のコンパクトディスク収納用ケース用紙。
【発明の詳細な説明】
【０００１】
【発明の属する技術分野】
本発明は、コンパクトディスク（ＣＤを含む）を安全確実に郵送できる定形郵便物の規格内の郵送に適したコンパクトディスク収納用ケースであって、収納ケースとコンパクトディスクである内容物との総重量が規定以内であり、しかも規定の形状で郵送できるコンパクトディスク収納用ケースに関する。
【０００２】
【従来の技術】
従来、コンパクトディスク（音楽用ＣＤやＣＤ−ＲＯＭ等）は、プラスチックケース内に収納し、これを封筒内に貼付した２枚の合成樹脂シートの間の空気層を備えた緩衝材を介して収納したものや、発砲スチロール等の緩衝材を挿入して、この緩衝材の間に挟み込んで郵送するもの、あるいは、紙箱本体と外箱と中蓋とを有する組立紙箱として紙箱本体は底部とその四周の側壁と各側壁の左右両側端部間に形成された連続片とからなり、一方の相対向する二側壁はそれぞれ本体底部に連結された延出部材が内側に折り返されることによって外側壁と内側壁とを有する二重壁に構成されると共にこの折り返し先端部が本体底部に貼着され、他の相対向する二側壁の一方の側壁上端には外蓋が連接され、他方の側壁上端には中蓋が連設されると共にこの中蓋先端には閉止用の延出片が形成され、連結片には内向きに折り込むための対角線方向の折り目が形成されてなる組立紙箱（実開昭５８ー６７７３２号公報参照）等が存在している。
【０００３】
ところでこのような従来のケースは、コンパクトディスクを保護するためにケース本体サイズも重量も必要以上に大きくなり、郵送に際し定形郵便扱いにならず郵便料が高くなるという問題点があった。すなわち我が国の郵便法には定形郵便制度があり、郵便物が定形条件内にあれば郵送代が安くなる。
【０００４】
この定形条件の寸法は短辺が９ｃｍから１２ｃｍ，長辺が１４ｃｍから２３．５ｃｍで厚みが１ｃｍ以内、重量が５０ｇ以内である。ところがＣＤ−ＲＯＭの直径は１２ｃｍであるため、短辺の外形最大寸法が１２ｃｍの封筒には物理的に収まらない。
【０００５】
ところが郵便物には短辺および長辺には±０．２５ｃｍの許容差が認められている。そこで郵送に適したコンパクトディスク収納用のケースとして、ケースの短辺の許容差を含めた最大値を１２．２５ｃｍとし、長辺を規定寸法の１４ｃｍから２３．５ｃｍとすると定形郵便の寸法に適合する。
【０００６】
【発明が解決しようとする課題】
しかしながら、前記従来技術である封筒内に緩衝材を介在してその緩衝材の間にコンパクトディスクを挟み込むものや組立紙箱により郵送するものは、重量やサイズを規定内におさめることが難しく、また材料費もかさむばかりか、コンパクトディスクを収納する作業などが煩わしかった。この発明は、これらの点に鑑み多量のコンパクトディスクを迅速に安全確実に、しかも規定の郵便料金で簡単に収納できるコンパクトディスク収納用ケースを提供することを目的とするものである。
【０００７】
【課題を解決するための手段】
本発明のコンパクトディスク収納用ケース用紙は、上記の目的を達成するために、
表台紙と裏台紙とが互いに折り部を介して連接し、前記表台紙と前記裏台紙とが前記折り部にて折り畳まれてコンパクトディスクを挟んで収納するコンパクトディスク収納用ケース用紙であって、
前記折り部には、前記コンパクトディスクを前記表台紙と前記裏台紙とに挟んで収納した場合に前記コンパクトディスクの側辺が表出する切欠きが設けられ、
前記表台紙と前記裏台紙の少なくとも一方の対向面には、前記コンパクトディスクが収納される領域を取り囲むように感圧性接着剤が塗布されているものである。
【０００８】
また、前記感圧性接着剤は、前記コンパクトディスクが収納される領域を介して前記折り部とは反対側に塗布された部分が封緘用であることを特徴とする。
【０００９】
【発明の実施形態】
以下、本発明の好適な実施形態を添付図面に基づいて説明する。図１はこの発明のコンパクトディスク収納用ケース用紙の内側を示す展開平面図、図２は図１のコンパクトディスク収納用ケースの表側の展開平面図、図３は図１、図２で示したコンパクトディスク収納用ケースにコンパクトディスクを収納した収納状態説明図、図４は図１、図２で示すコンパクトディスク収納用ケース用紙にコンパクトディスクを収納する手順を示す収納手順説明図である。
【００１０】
図１に示すようにコンパクトディスク収納用ケース用紙１は、円盤状のコンパクトディスク１１を挟んで保護するために、あらかじめコンパクトディスク１１を収納しない位置に通常の状態では接着することのない感圧性接着剤４と封緘用感圧性接着剤５が裏台紙３にコンパクトディスク１１を囲むように塗布されている。表台紙２と裏台紙３の折り部１２には、コンパクトディスク１１を収納したときコンパクトディスク１１の側辺が表出する切欠き１０が設けられている。
【００１１】
また、コンパクトディスク収納用ケース用紙１には、両側にプリンタや処理機の用紙送りトラクタに係合する移送孔７を有するマージナル部６が設けられている。また、単位毎のコンパクトディスク収納用ケース用紙１を区画する分離線９が設けられている。また、収納用ケースとして使用されるとき不必要になったマージナル部６を切り落とすスリット線８が設けられている。
【００１２】
図２は、図１のコンパクトディスク収納用ケース用紙１の外側となる展開説明図であって、図示したようにあらかじめプリンタ等で配送先情報１３が一括して印字される。また、郵便料金を別納するための料金後納等の表示１４が印刷されている。また、図示してないが、コンパクトディスク収納用ケース用紙１の外側には、あらかじめ発送元等の情報も印刷されている。
【００１３】
図４は、図１、図２で示されたコンパクトディスク収納用ケース用紙１でコンパクトディスク１１を収納する手順を示す収納手順説明図であるが、先ず処理装置３１は、あらかじめ配送先情報１３などを一括して印字したロール状に巻き付けたコンパクトディスク収納用ケース用紙１をトラクタ装置で表台紙２と裏台紙３を折り畳みながら引き出し、スリッター３４でマージナル部６を切り落とす。次に、部分圧着ローラ３５で、図１で示された感圧接着剤４部分のみに圧をかけてコンパクトディスク１１の収納袋を形成する。これで形成された収納袋部にコンパクトディスク収納ロボット３６により、コンパクトディスク１１を収納する。次に、部分圧着ローラ３７で、感圧接着剤５部分のみ圧をかけ封緘する。そして、ギロチン式カッターで切断し、単位毎のコンパクトディスク１１入りの収納用ケースができ（図３参照）、このままあるいは、透明封筒などに入れて郵送することができる。
【００１４】
【発明の効果】
以上のように、本発明のコンパクトディスク収納用ケースによれば、このコンパクトディスク収納用ケース自体の製造が簡単なうえ、所定の配送先等の個別情報を出力することも容易で、さらに大量のコンパクトディスクを収納し、あらかじめ塗布した感圧性接着剤により簡単に封緘できるので発送する作業も極めて簡単にできる。そのうえコンパクトディスクが定形郵便扱いで送付できる等、産業上極めて有益な効果を奏する。
【図面の簡単な説明】
【図１】  コンパクトディスク収納用ケースの内側を示す展開平面図。
【図２】図１のコンパクトディスク収納用ケースの表側の展開平面図。
【図３】図１、図２で示したコンパクトディスク収納用ケースにコンパクトディスクを収納した収納状態説明図。
【図４】図１、図２で示すコンパクトディスク収納用ケース用紙にコンパクトディスクを収納する手順を示す収納手順説明図である。
【符号の説明】
１      コンパクトディスク収納用ケース用紙
２      表台紙
３      裏台紙
４      感圧性接着剤
５      感圧性接着剤折り部
１０      切り欠き
１１      コンパクトディスク
１２      折り部
【図１】
0003733212.tif 000002
【図２】
0003733212.tif 000003
【図３】
0003733212.tif 000004
【図４】
0003733212.tif 000005